(57)【要約】      （修正有）【課題】冬期における移動中のクラブのグリップの温度低下を防ぎ、また、簡単にシャフトの硬さを調節することができるゴルフバッグを提供する。【解決手段】ゴルフバッグ１のクラブ収納室４の内部を加温可能な加温装置１５を備えたことを特徴としている。バッグ台座３内には加温装置１５の主要部分が配置されている。加温装置１５は上から順に蓄熱体、散熱板、押え板、断熱体を積層状態で備え、散熱板と断熱体との間に発熱体、温度調節器を備え、さらにバッグ台座３の外面にパイロットランプ及び電源入力端子を備えている。【選択図】図３
0003185567.tif 000002
【実用新案登録請求の範囲】
【請求項１】
ゴルフバッグのクラブ収納部の内部を加温可能な加温装置を備えたことを特徴とするゴルフバッグ。
【請求項２】
前記加温装置の少なくとも一部分が前記クラブ収納部と前記クラブ収納部の底部に取付けられたパック台座との間に配置されていることを特徴とする請求項１記載のゴルフバッグ。
【請求項３】
前記加温装置は発熱体を有し、前記発熱体は前記クラブ収納部に伝熱可能に配置されていることを特徴とする請求項１記載のゴルフバッグ。
【請求項４】
前記発熱体は前記クラブ収納部と前記クラブ収納部の底部に取り付けられたバック台座との間に配置されていることを特徴とする請求項３記載のゴルフバック。
【請求項５】
前記加温装置は面状発熱体を有し、前記クラブ収納部の内部には前記内部を複数の小区画に仕切る仕切り部材が設けられ、前記面状発熱体は前記仕切り部材に取り付けられていることを特徴とする請求項１記載のゴルフバッグ。
【請求項６】
前記面状発熱体は前記仕切り部材の外面の少なくとも一部を覆っており、または少なくとも一部分が前記仕切り部材に内包されていることを特徴とする請求項３記載のゴルフバッグ。
【請求項７】
ゴルフバッグの前記クラブ収納部の前記上端部を閉じる複数のクラブ挿入孔を有する蓋体を取り外し可能に装着可能に構成した請求項１記載のゴルフバッグ。
【請求項８】
前記クラブ挿入孔はプラグの装脱によって開閉可能に構成されていることを特徴とする請求項７記載のゴルフバッグ。
【考案の詳細な説明】
【技術分野】
【０００１】
この考察はゴルフバッグ、特にゴルフクラブを加温する機能を有するゴルフバッグに関するものである。
【背景技術】
【０００２】
ゴルフの道具、特にクラブはゴルフのプレー中は、ゴルフバッグに収納された状態で、ほとんど外気温にさらされたまま、コースを移動するので、外気温に影響を受け易い。
例えば冬期にはグリップなどが冷えて、プレーヤーに不快感を与える。またクラブのシャフトも冷えて硬くなる。
【０００３】
ゴルフクラブのシャフトの硬さ（剛性）と、ボールの飛距離の関係はゴルファーの関心事であって、シャフトが硬ければしなりが少ないので、ヘッドの戻りが早くなり、その分、ボールに対する弾きも少なくなるので、ボールの飛距離は小さくなるとする考え方もある。
【０００４】
そこで従来はシャフトの硬さを調整するのをシャフトの材料の選択や加工技術によって行っている。
しかし材料の選択や加工技術によるシャフト硬さの調整は、材料として高価なものを必要とし、また、加工技術によるものは多くの手間を要し、シャフトの価格を高価にしている。
【０００５】
このようなことから簡単にシャフトの硬さを調節することができる技術の開発が望まれている。
従来のゴルフ装置の温度調節に関する工夫としては携帯用飲料を冷却する冷却装置をキャディーバッグに取り付けるもの（特許文献１）や水を収容できるタンクを乗用カートに取る付け、乗用カートの搭乗者に水を噴霧して暑さをやわらげるもの（特許文献２）があるがゴルフバッグにおいてクラブを加温するという考え方はなかった。
【先行技術文献】
【特許文献】
【０００６】
【特許文献１】特開平６−３４１７４６号公報
【特許文献２】特開２０１０−４６４４１号公報
【考案の概要】
【考案が解決しようとする課題】
【０００７】
この考案は上記の如き事情に鑑みてなされたものであって、寒冷期における移動中のクラブのグリップの温度低下を防ぎ、また、簡単にシャフトの硬さを調節することができるゴルフバッグを提供することを目的とする。
【課題を解決するための手段】
【０００８】
この目的に対応して、この考案のゴルフバッグはゴルフバッグのクラブ収納部の内部を加温可能な加温装置を備えたことを特徴としている。
【考案の効果】
【０００９】
請求項１に記載された考案によれば、ゴルフバッグのクラブ収納部内を加温可能な加温装置を備えているので、ゴルフバックに収納されたクラブを加温し、グリップを暖め、またシャフトの硬さを低下させて柔らかくすることができる。
【００１０】
請求項２に記載された考案によれば、加温装置の主要部をバッグ台座を利用して取り付けるので、加温装置を設置するについてバッグ上に特に別の場所を新設する必要がない。
【００１１】
請求項３に記載した考案によれば、加温装置の発熱体をクラブ収納部内に伝熱可能に配置しているので、クラブ収納部の加温が良好である。
【００１２】
請求項４に記載された考案によれば、発熱体をゴルフバッグの底部の皿状のバッグ台座を利用して設置されるので、発熱体をゴルフバッグに配置するのに、特別の空間を付加的に準備する必要はない。
【００１３】
請求項５に記載された考案によれば、加温装置の発熱体として面状発熱体を使用し、かつこの面状発熱体をゴルフバッグ内にもともと設けられている整理用の仕切り部材を利用して面状発熱体を取り付けるので、面状発熱体の取り付けのための特別の構造を必要とせず、面状発熱体の取り付けが容易である。クラブ整理用の仕切り部材は、もともとクラブを案内するために、クラブシャフトに沿って配置されているので、これに面状発熱体を取り付けることは面状発熱体をクラブシャフトに対して伝熱効率のよい位置に配置した結果となり、グリップの加温やクラブシャフトの硬度の調整を効率よく行うことができる。
【００１４】
請求項６に記載された考案によれば、面状発熱体はもともと帯状をなすしきり部材の内外面にぴったり添わせて配置することができ、設置に場所をとらず、面状発熱体の設置によってクラブ収納部の容積を減少させることがなく、クラブの収納の邪魔になることはない。
【００１５】
請求項７に記載された考案によれば、クラブ収納部の上端が蓋体によって開閉可能であるので、クラブ収納部の内部の温度調節が容易である。
【００１６】
請求項８に記載された考案によれば、蓋体の複数のクラブ挿入孔がプラグの装脱によって選択的に開閉可能であるので、クラブ収納部の内部の温度調節が一層容易である。
【図面の簡単な説明】
【００１７】
【図１】ゴルフバッグの斜視説明図
【図２】クラブ収容室の小区画を示す斜視説明図
【図３】ゴルフクラブの下端部を示す断面説明図
【図４】加熱装置の構成を示す説明図
【図５】回路図
【図６】仕切部材の断面説明図
【図７】他の加熱装置の構成を示す説明図
【図８】他の回路図
【図９】蓋体を示す説明図
【考案を実施するための形態】
【００１８】
以下この考案の詳細を考案を実施するための形態について、図面を参照しながら説明する。
【００１９】
まず考案の実施するための第１の形態について説明する。
図１において１はゴルフバッグである。ゴルフバッグ１は筒状の胴部２を有し、胴部２の下端には皿状のバッグ台座３を固定している。
胴部２の内部はクラブ収容室４が胴部２の長手軸方向に形成される。クラブ収容室４は長手軸方向に形成される複数の小区画５（図１に図示の場合は６個の小区画５）に区分されている。
【００２０】
図２に示すようにクラブ収容室４の上端部には仕切枠６が胴部２の壁に固定されてクラブ収容室４の開口を６個に区画しており、それぞれの仕切枠６からは帯状の仕切部材７が長手軸方向に垂下して配置されて胴部２の底板８まで達しており、これにより複数の小区画５（図示の場合は６個の小区画５）が長手軸方向に形成される。それぞれの小区画５にはクラブ１１のグリップ１2及びシャフトの１３の部分が整理された状態でさかさまに差し込まれることが可能である。この収納状態において、ヘッド１４の部分は小区画５の上方に出た状態になっている。
【００２１】
図３及び図４に示すように、このゴルフバッグ１の下端部を受けるバッグ台座３内には加温装置１５の主要部分が配置されている。
加温装置１５は上から順に蓄熱体１６、散熱板１７、押え板１８、断熱体１９を積層状態で備え、散熱板１７と断熱体１９との間に発熱体２１、温度調節器２２を備え、さらにバッグ台座３の外面にパイロットランプ２３及び電源入力端子２４を備えている。
【００２２】
蓄熱体１６は発熱体２１からの熱を蓄熱して伝導や放射により徐々にクラブ収納室４の各小区画５に伝熱して各小区画５内を加温するための部材であり、一例として木板、特に杉板で構成することができる。散熱板１７は発熱体２１から受けた熱を拡散させて蓄熱体１６に均一に伝熱するための部材で、一例として厚さ３ｍｍのアルミニウム板で構成されることができる。
温度調節器２２は散熱板１７に取付けられている。また発熱体２１は散熱板１７と伝熱関係に配置されている。
【００２３】
押え板１８は発熱体２１を取り付けて支持する機能を持ち、例えば厚さ３ｍｍのアルミニウム板で構成することができる。
【００２４】
断熱体１９は発熱体２１の熱がバッグ台座３に伝達するのを遮断するためのもので、一例として発泡ウレタンで構成することができる。
【００２５】
発熱体２１、温度調節器２２、パイロットランプ２３、電源入力端子２４は図５に示す電圧１２Ｖの直流回路２５によって動作するように構成されている。
【００２６】
このように構成されたゴルフバッグ１においては、発熱体２１が発熱すると、その熱は散熱板１７を介して蓄熱体１６に蓄積され、さらに蓄熱体１６から徐々に胴部２の小区画５に伝達されて、収納されているクラブ１１のグリップ１２やシャフト１３を暖めることができ、クラブ１１が冷えていることによるプレーの不快さやシャフト１３の低温状態による硬化を回復させることができる。
【００２７】
この加温装置１５は１２Ｖの直流によって動作するように構成しておけば、自宅からゴルフ場に自動車で移動する場合でも、シガーライター電源を利用して動作させることが可能であるので、ゴルフ場に到着するまでの間に、ゴルフクラブの加温及びプレーの準備をすることができる。
【００２８】
次にこの考案を実施するための第２の形態について説明する。
この第２の形態においては、小区画５を加温するための加温装置２７の発熱体２１として、面状発熱体２６を使用する。
【００２９】
すなわち、図２について前述したように小区画５は隣り合う小区画５の境壁が仕切枠６から垂下して配置された帯状の仕切部材７によって構成されているので、この仕切部材７に添って面状発熱体２６を配置することによって、面状発熱体２６を小区画５の周囲に万遍なく配置することができる。
【００３０】
この場合、面状発熱体２６を仕切部材７に添わせるのに、図６（ａ）に示すように面状発熱体２５が仕切部材７の両面を覆うように構成してもよいし、または図６（ｂ）に示すように、仕切部材７が面状発熱体２６の両面を覆うように構成してもよい。
【００３１】
図７に示すように、加温装置２７は前述の面状発熱体２６を備え、さらに温度調節器２２をバッグ台座３内に備え、さらにバッグ台座３の外面にパイロットランプ２３及び電源入力端子２４を備えている。
【００３２】
このように構成された加温装置２７においては面状発熱体２６、温度調節器２２、パイロットランプ２３、電源入力端子２４は図８に示す電圧１２Ｖの直流回路２８によって動作するように構成されている。
【００３３】
厳寒時にはゴルフバッグ１の胴部２の上端が開放していると、仕切枠６の開口部を通して冷気がクラブ収納室４内に侵入して小区画５の昇温を下げ、クラブ１１の加温が不足する場合が生ずるのを避けるために、胴部２の上端を仕切枠６の上から閉じる蓋体３１を設けてもよい。
【００３４】
この蓋体３１は図９（ａ）に示すように、胴部２の上端に取り外し可能に装着可能である。蓋体３１は図９（ｂ）〜（ｄ）に示すように胴部２の上端に装着可能な形状、例えば円板状や方形板状をなし、複数のクラブ挿入孔３２をクラブの挿入方向に貫通して設けている。蓋体３１の素材としては例えば木材や断熱材を単層で、または積層して使用する。クラブ挿入孔３２の数は必要に応じて、例えば１４個などに選択可能であるが、使用しない（クラブを挿入しない）クラブ挿入孔３２には図９（ｅ）に示すようにプラグ３３を刺し込んでふさぐことも可能である。
【００３５】
プラグ３３は弾性を有する材料で構成し、クラブ挿入孔３２に対して装脱可能に構成する。
【００３６】
このように構成されたゴルフバッグ１においては面状発熱体２６が発熱すると、ただちに長手軸に添った小区画５の全体を加温することになるので、収納されているクラブ１１のグリップ１２やシャフト１３を暖めることができ、クラブ１１が冷えていることによるプレーの不快感やシャフト１３の低温状態による硬化を回復させることができる。
【産業上の利用可能性】
【００３７】
以上の説明から明らかな通り、この考案によれば、寒冷期における移動中のクラブのグリップの温度低下を防ぎ、また簡単にシャフトの硬さを調整することができるゴルフバッグを得ることができる。
【符号の説明】
【００３８】
１    ゴルフバッグ
２    胴部
３    バッグ台座
４    クラブ収容室
５    小区画
６    仕切枠
７    仕切部材
８    底板
１１  クラブ
１２  グリップ
１３  シャフト
１４  ヘッド
１５  加温装置
１６  蓄熱体
１７  散熱板
１８  押え板
１９  断熱体
２１  発熱体
２２  温度調節器
２３  パイロットランプ
２４  電源入力端子
２５  直流回路
２６  面状発熱体
２７  加温装置
２８  直流回路
３１  蓋体
３２  クラブ挿入孔
３３  プラグ
【図１】
0003185567.tif 000003
【図２】
0003185567.tif 000004
【図３】
0003185567.tif 000005
【図４】
0003185567.tif 000006
【図５】
0003185567.tif 000007
【図６】
0003185567.tif 000008
【図７】
0003185567.tif 000009
【図８】
0003185567.tif 000010
【図９】
0003185567.tif 000011